(57)【要約】【課題】室温や体温付近でコレステリック相を示し、人の唇や皮膚に塗布した際に美的装飾効果を呈する液晶組成物および該組成物を含む化粧料を提供する。【解決手段】式(1)で表される化合物から選ばれる少なくとも２種と、式(2)および(3)で表される化合物から選ばれる少なくとも１種とを含有するコレステリック液晶組成物。2008174634.tif 000012（式中、Ｒ1は炭素数が１〜５の脂肪酸残基を表し、Ｒ2は独立に炭素数が１３〜２０の脂肪酸残基を表し、Ｒ1およびＲ2は直鎖状であっても分岐鎖状であってもよい。）【選択図】なし【特許請求の範囲】
【請求項１】
第１成分として下記式（１）で表される化合物からなる群より選ばれる少なくとも２種と、第２成分として下記式（２）および（３）で表される化合物からなる群より選ばれる少なくとも１種とを含有することを特徴とするコレステリック液晶組成物。
【化１】
2008174634.tif 000009
（式中、Ｒ1は炭素数が１〜５の脂肪酸残基を表し、直鎖状であっても分岐鎖状であって
もよい。）
【化２】
2008174634.tif 000010
（式中、Ｒ2は独立に炭素数が１３〜２０の脂肪酸残基を表し、直鎖状であっても分岐鎖
状であってもよい。）
【請求項２】
第１成分および第２成分の合計量を１００重量部とした場合、第１成分を１５〜８０重量部の量で含有し、第２成分を２０〜８５重量部の量で含有することを特徴とする請求項１に記載のコレステリック液晶組成物。
【請求項３】
第３成分として下記式（４）および（５）で表される化合物からなる群より選ばれる少なくとも１種をさらに含有することを特徴とする請求項１に記載のコレステリック液晶組成物。
【化３】
2008174634.tif 000011
（式中、Ｒ3は炭素数が６〜１２の脂肪酸残基を表し、直鎖状であっても分岐鎖状であっ
てもよく、Ｒ4は炭素数が１〜１２の脂肪酸残基を表し、直鎖状であっても分岐鎖状であ
ってもよい。）
【請求項４】
第１成分および第２成分の合計量を１００重量部とした場合、第１成分を１５〜８０重量部の量で含有し、第２成分を２０〜８５重量部の量で含有し、かつ、第３成分を１００重量部以下の量で含有することを特徴とする請求項３に記載のコレステリック液晶組成物。
【請求項５】
前記第１成分として、前記式（１）で表され、Ｒ1が炭素数１、２または３のアルキル
である化合物を少なくとも１種含有することを特徴とする請求項１に記載のコレステリック液晶組成物。
【請求項６】
前記第１成分において、少なくとも１種の化合物のＲ1で表される脂肪酸残基の炭素数
と、他の少なくとも１種の化合物のＲ1で表される脂肪酸残基の炭素数との差が２以上で
あることを特徴とする請求項１に記載のコレステリック液晶組成物。
【請求項７】
前記第１成分として、前記式（１）で表され、Ｒ1がメチルである化合物と、前記式（
１）で表され、Ｒ1が炭素数３のアルキルである化合物とを含有することを特徴とする請
求項１に記載のコレステリック液晶組成物。
【請求項８】
前記第１成分として、前記式（１）で表され、Ｒ1がエチルである化合物と、前記式（
１）で表され、Ｒ1が炭素数４のアルキルである化合物とを含有することを特徴とする請
求項１に記載のコレステリック液晶組成物。
【請求項９】
前記第２成分として、前記式（２）または（３）で表され、Ｒ2の炭素数が１７である
化合物を少なくとも１種含有することを特徴とする請求項１に記載のコレステリック液晶組成物。
【請求項１０】
前記第２成分として、前記式（３）で表され、Ｒ2の炭素数が１８、１９または２０で
ある化合物を少なくとも１種含有することを特徴とする請求項１に記載のコレステリック液晶組成物。
【請求項１１】
前記第３成分として、前記式（４）で表され、Ｒ3の炭素数が６、７、８、９または１
１である化合物を少なくとも１種含有することを特徴とする請求項３に記載のコレステリック液晶組成物。
【請求項１２】
前記第３成分として、前記式（５）で表され、Ｒ4の炭素数が１、２、３、４、６また
は８である化合物を少なくとも１種含有することを特徴とする請求項３に記載のコレステリック液晶組成物。
【請求項１３】
脂肪酸エステル類、炭化水素類、高級アルコール類、低級アルコール類、多価アルコール、シリコーン油類、環状エーテル、ケトン、アミド、アミノ酸および有機アミンから選ばれる少なくとも１種をさらに含むことを特徴とする請求項１に記載のコレステリック液晶組成物。
【請求項１４】
液晶顔料、塗料、噴霧インク、印刷インク、化粧品、偽造防止用印刷物および装飾品から選ばれる用途への、請求項１〜１３のいずれかに記載のコレステリック液晶組成物の使用。
【請求項１５】
請求項１〜１３のいずれかに記載のコレステリック液晶組成物を含有することを特徴とする化粧料。
【請求項１６】
脂肪酸エステル類、炭化水素類、多価アルコール、水、水溶性高分子および多糖類からなる群より選ばれる少なくとも１種の溶剤をさらに含有することを特徴とする請求項１５に記載の化粧料。
【発明の詳細な説明】
【技術分野】
【０００１】
本発明は、室温や体温付近で特定の波長領域の光を反射するコレステリック液晶組成物およびその用途に関する。
【背景技術】
【０００２】
コレステリック液晶分子は、その液晶状態で螺旋構造を有する。そのため、コレステリック液晶相に光を照射すると、液晶分子の螺旋の回転方向の向きとピッチの長さに対応した特定の波長領域の円偏光の光を反射する。たとえば、可視光を照射した場合、液晶のピッチの長さに対応した青、緑、黄、赤の波長の光を選択的に反射する。これらの色調は、光の吸収により色を呈する顔料や染料とは異なり、また、見る角度により色調が変わる視角依存性を有する。さらに、コレステリック液晶のピッチの長さは、温度や化合物の種類により制御することができるため、可視光だけではなく、近赤外や紫外領域の光も選択的に反射することができる。
【０００３】
こうしたコレステリック液晶の特性を利用して、広い波長域内でさまざまな波長の光を選択的に反射する材料が提供されている。例えば、液晶顔料、塗料、噴霧インク、印刷インク、化粧品、偽造防止用印刷物および装飾品などである。また、液晶表示素子やホログラフィー素子などの光学素子における偏光板、補償板、カラーフィルタなどの光学フィルムなどにも提案されている。既存の材料であるコレステリック液晶顔料については、フレーク状のコレステリック液晶ポリマーや、マイクロカプセル化されたコレステリック液晶が使用されている。これらの用途としては自動車用塗料や化粧料などがある。
【０００４】
従来、このようなコレステリック材料として、コレスタノール誘導体やコレステロール誘導体が使用されてきた。たとえば、特開昭５７−３２２１１号公報（特許文献１）には、コレステロールの塩化物とコレステロールの脂肪酸エステルとを含む組成物が、２６℃付近で赤〜緑を呈することが記載されている。
【０００５】
しかしながら、コレステロールのハロゲン化物は、人体に対する安全性が確認されておらず、化粧料への応用に不向きである。一方、コレスタノール誘導体およびコレステロール脂肪酸エステルは、その人体への安全性や、保湿効果をもつことから、古くから化粧料用材料として使用されている。
【０００６】
特許２８８２６３４号公報（特許文献２）には、コレスタノールオレイン酸エステルと他のコレステロールエステルとの組成物が、化粧料として保水効果および肌荒れ改善効果を奏することが記載されている。
【０００７】
特許２６９４２８５号公報（特許文献３）には、コレスタノールもしくはコレステロールの脂肪酸エステルの呈色を化粧料に応用することが記載されている。また、特許文献３には、コレステリック液晶の呈色温度域低下改質剤として、コレスタノールのオレイン酸エステル及び分岐脂肪酸エステルを２０〜８５ｗｔ％含有する液晶組成物の２５℃付近での色調が示されている。
【０００８】
ここで、化粧品分野において、特に唇や皮膚に塗布する化粧料用途としてコレステリック材料が用いられる場合、室温もしくは体温付近でコレステリック反射色を呈する材料が要求される。温度範囲としては０〜６０℃、特に好ましくは２０℃〜４０℃付近で赤〜紫、好ましくは赤〜黄の発色が要求される。このように、コレステリック液晶材料が化粧品用途としてその美的装飾の効果を発揮するためには、温度に対する呈色範囲の制御が求め
られる。
【０００９】
特許文献３の実施例に記載されている液晶組成物の大半は、２５℃付近で青〜緑を呈している。このようなコレステリック材料は温度の変化により呈色範囲が大幅に変化する。特許文献３には、温度に対応する呈色域の変化についての記載および体温付近で赤〜黄色を呈する材料についての記載はなく、特許文献３に記載の液晶組成物を化粧料用材料に応用することについて何ら記載も示唆もされていない。
【特許文献１】特開昭５７−３２２１１号公報
【特許文献２】特許２８８２６３４号公報
【特許文献３】特許２６９４２８５号公報
【発明の開示】
【発明が解決しようとする課題】
【００１０】
本発明の第一の課題は、室温や体温付近でコレステリック相を示す液晶組成物を提供することである。第二の課題は、前記組成物の組成を変えることで、室温や体温付近で赤〜緑〜青〜紫の広範囲にわたるコレステリック反射帯域の反射色を制御することである。第三の課題は、化粧料として人の唇や皮膚に塗布した際に美的装飾効果を呈する液晶組成物を提供することである。
【課題を解決するための手段】
【００１１】
本発明者は、上記課題を解決すべく鋭意検討を行った。その結果、特定のコレステロール誘導体もしくはコレスタノール誘導体を含み、特に室温や体温付近の温度範囲で赤〜紫、より好ましくは赤〜黄色の選択反射色を呈するコレステリック液晶組成物が、化粧料として人の唇や皮膚に塗布した際に高い美的装飾効果を発現することを見出した。本発明は、このような知見に基づいて完成させたものであり、具体的には、以下の構成が挙げられる。
【００１２】
［１］  第１成分として下記式（１）で表される化合物からなる群より選ばれる少なくとも２種と、第２成分として下記式（２）および（３）で表される化合物からなる群より選ばれる少なくとも１種とを含有することを特徴とするコレステリック液晶組成物。
【００１３】
【化１】
2008174634.tif 000002
【００１４】
式（１）中、Ｒ1は炭素数が１〜５の脂肪酸残基を表し、直鎖状であっても分岐鎖状で
あってもよい。
【００１５】
【化２】
2008174634.tif 000003
【００１６】
式（２）および（３）中、Ｒ2は独立に炭素数が１３〜２０の脂肪酸残基を表し、直鎖
状であっても分岐鎖状であってもよい。
［２］  第１成分および第２成分の合計量を１００重量部とした場合、第１成分を１５〜８０重量部の量で含有し、第２成分を２０〜８５重量部の量で含有することを特徴とする項［１］に記載のコレステリック液晶組成物。
【００１７】
［３］  第３成分として下記式（４）および（５）で表される化合物からなる群より選ばれる少なくとも１種をさらに含有することを特徴とする項［１］に記載のコレステリック液晶組成物。
【００１８】
【化３】
2008174634.tif 000004
【００１９】
式（４）中、Ｒ3は炭素数が６〜１２の脂肪酸残基を表し、直鎖状であっても分岐鎖状
であってもよい。式（５）中、Ｒ4は炭素数が１〜１２の脂肪酸残基を表し、直鎖状であ
っても分岐鎖状であってもよい。
【００２０】
［４］  第１成分および第２成分の合計量を１００重量部とした場合、第１成分を１５〜８０重量部の量で含有し、第２成分を２０〜８５重量部の量で含有し、かつ、第３成分を１００重量部以下の量で含有することを特徴とする項［３］に記載のコレステリック液晶組成物。
【００２１】
［５］  前記第１成分として、前記式（１）で表され、Ｒ1が炭素数１、２または３の
アルキルである化合物を少なくとも１種含有することを特徴とする項［１］に記載のコレステリック液晶組成物。
【００２２】
［６］  前記第１成分において、少なくとも１種の化合物のＲ1で表される脂肪酸残基
の炭素数と、他の少なくとも１種の化合物のＲ1で表される脂肪酸残基の炭素数との差が
２以上であることを特徴とする項［１］に記載のコレステリック液晶組成物。
【００２３】
［７］  前記第１成分として、前記式（１）で表され、Ｒ1がメチルである化合物と、
前記式（１）で表され、Ｒ1が炭素数３のアルキルである化合物とを含有することを特徴
とする項［１］に記載のコレステリック液晶組成物。
【００２４】
［８］  前記第１成分として、前記式（１）で表され、Ｒ1がエチルである化合物と、
前記式（１）で表され、Ｒ1が炭素数４のアルキルである化合物とを含有することを特徴
とする項［１］に記載のコレステリック液晶組成物。
【００２５】
［９］  前記第２成分として、前記式（２）または（３）で表され、Ｒ2の炭素数が１
７である化合物を少なくとも１種含有することを特徴とする項［１］に記載のコレステリック液晶組成物。
【００２６】
［１０］  前記第２成分として、前記式（３）で表され、Ｒ2の炭素数が１８、１９ま
たは２０である化合物を少なくとも１種含有することを特徴とする項［１］に記載のコレステリック液晶組成物。
【００２７】
［１１］  前記第３成分として、前記式（４）で表され、Ｒ3の炭素数が６、７、８、
９または１１である化合物を少なくとも１種含有することを特徴とする項［３］に記載のコレステリック液晶組成物。
【００２８】
［１２］  前記第３成分として、前記式（５）で表され、Ｒ4の炭素数が１、２、３、
４、６または８である化合物を少なくとも１種含有することを特徴とする項［３］に記載のコレステリック液晶組成物。
【００２９】
［１３］  脂肪酸エステル類、炭化水素類、高級アルコール類、低級アルコール類、多価アルコール、シリコーン油類、環状エーテル、ケトン、アミド、アミノ酸および有機アミンから選ばれる少なくとも１種をさらに含むことを特徴とする項［１］に記載のコレステリック液晶組成物。
【００３０】
［１４］  液晶顔料、塗料、噴霧インク、印刷インク、化粧品、偽造防止用印刷物および装飾品から選ばれる用途への、項［１］〜［１３］のいずれかに記載のコレステリック液晶組成物の使用。
【００３１】
［１５］  項［１］〜［１３］のいずれかに記載のコレステリック液晶組成物を含有することを特徴とする化粧料。
［１６］  脂肪酸エステル類、炭化水素類、多価アルコール、水、水溶性高分子および多糖類からなる群より選ばれる少なくとも１種の溶剤をさらに含有することを特徴とする項［１５］に記載の化粧料。
【発明の効果】
【００３２】
本発明によれば、室温や体温付近でコレステリック相を呈し、組成を変えることにより、室温や体温付近で赤〜緑〜青〜紫の広範囲にわたるコレステリック反射帯域の反射色を制御することができ、人の唇や皮膚に塗布した際に美的装飾効果を呈する液晶組成物および該液晶組成物を含む化粧料が得られる。
【発明を実施するための最良の形態】
【００３３】
以下、本発明に係るコレステリック液晶組成物およびその用途について詳細に説明する。なお、以下においては、式（１）で表される化合物を「化合物（１）」と称することがあり、他の式で表される化合物についても同様に簡略化して称することがある。
【００３４】
〔コレステリック液晶組成物〕
本発明のコレステリック液晶組成物は、第１成分として化合物（１）からなる群より選ばれる少なくとも２種と、第２成分として化合物（２）および化合物（３）からなる群より選ばれる少なくとも１種と、必要に応じて第３成分として化合物（４）および化合物（５）からなる群より選ばれる少なくとも１種とを含有する。
【００３５】
本発明の液晶組成物は、室温付近（１０〜４０℃程度）で広いコレステリック液晶相域を有し、各構成成分の組成比を変えることで、コレステリック相が反射する光の波長領域を制御することができる。
【００３６】
本発明の液晶組成物の第１成分として用いられる化合物（１）は、他の成分に対する良好な相溶性を有し、目的に応じた螺旋ピッチを発現させることができる。上記式（１）中
のＲ1は炭素数１〜５の脂肪酸残基であり、該脂肪酸残基は直鎖状であっても分岐鎖状で
あってもよいし、また飽和であっても不飽和であってもよい。
【００３７】
第１成分として化合物（１）および（２）からなる群より選ばれる少なくとも２種の化合物を含有する本発明の液晶組成物は、化合物（１）を１種のみ含有する液晶組成物と比較して、室温付近で赤〜青の広い選択反射領域を制御できる点で優れる。
【００３８】
上記第１成分は２種以上の化合物を含むが、そのうちの少なくとも１種は、Ｒ1が炭素
数１、２または３のアルキルである化合物（１）であることが、室温付近で比較的長波長側の赤〜黄緑の選択反射領域を制御できる点で好ましい。また、第１成分において、少なくとも１種の化合物のＲ1で表される脂肪酸残基の炭素数と、他の少なくとも１種の化合
物のＲ1で表される脂肪酸残基の炭素数との差が２以上であることが、室温付近で赤〜青
の広い選択反射領域を制御できる点で好ましい。
【００３９】
上記第１成分の好ましい組み合わせとしては、たとえば、
・Ｒ1がメチルである化合物（１）、Ｒ1が炭素数３のアルキルである化合物（１）とを含む組み合わせ、
・Ｒ1がメチルである化合物（１）と、Ｒ1が炭素数４のアルキルである化合物（１）とを含む組み合わせ、
・Ｒ1がメチルである化合物（１）と、Ｒ1が炭素数５のアルキルである化合物（１）とを含む組み合わせ、
・Ｒ1が炭素数２のアルキルである化合物（１）と、Ｒ1が炭素数４のアルキルである化合物（１）とを含む組み合わせ、
・Ｒ1が炭素数３のアルキルである化合物（１）、Ｒ1が炭素数５のアルキルである化合物（１）とを含む組み合わせ
などが挙げられる。
【００４０】
本発明の液晶組成物の第２成分として用いられる化合物（２）および（３）は、液晶組成物の保存安定性を高める点で優れている。本発明の液晶組成物に前記第２成分を含有させることにより、時間経過に伴う液晶組成物の分離、結晶の析出を軽減できる。上記式（２）および（３）中のＲ2は、独立に炭素数が１３〜２０の脂肪酸残基であり、該脂肪酸
残基は直鎖状であっても分岐鎖状であってもよいし、また飽和であっても不飽和であってもよい。
【００４１】
本発明の液晶組成物は、第２成分として、Ｒ2の炭素数が１７である化合物（２）およ
び（３）から選ばれる少なくとも１種を含有することが、液晶組成物の保存安定性を高める点で特に好ましい。また、本発明の液晶組成物は、第２成分として、Ｒ2の炭素数が１
８、１９または２０である化合物（３）から選ばれる少なくとも１種を含有することも同様に、液晶組成物の保存安定性を高める点で好ましい。
【００４２】
本発明の液晶組成物の第３成分として必要に応じて用いられる化合物（４）および（５）は、液晶組成物の選択反射の温度領域を広げるために用いられる。上記式（４）中のＲ3は炭素数が６〜１２の脂肪酸残基であり、該脂肪酸残基は直鎖状であっても分岐鎖状で
あってもよいし、また飽和であっても不飽和であってもよい。上記式（５）中のＲ4は炭
素数が１〜１２の脂肪酸残基であり、該脂肪酸残基は直鎖状であっても分岐鎖状であってもよいし、また飽和であっても不飽和であってもよい。
【００４３】
本発明の液晶組成物は、第３成分として、Ｒ3の炭素数が６、７、８、９または１１で
ある化合物（４）から選ばれる少なくとも１種を含有することが、液晶組成物の選択反射領域の上限温度を高くする点で好ましい。また、Ｒ4の炭素数が１、２、３、４、６また
は８である化合物（５）から選ばれる少なくとも１種を含有することが、液晶組成物の選択反射領域の下限温度を低くする点で好ましい。
【００４４】
本発明の液晶組成物は、上記第１成分および第２成分を必須成分とし、第１成分と第２成分との合計含有量を１００重量部とした場合、第１成分を好ましくは５〜９５重量部、より好ましくは１５〜８０重量部、さらに好ましくは３０〜７０重量部の量で含有し、第２成分を好ましくは５〜９５重量部、より好ましくは２０〜８５重量部、さらに好ましくは３０〜７０重量部の量で含有する。上記液晶組成物が、第１成分および第２成分を前記範囲で含有することにより、室温付近で赤〜青の広い選択反射領域呈する液晶組成物を提供できる。
【００４５】
また、本発明の液晶組成物は、上記第１成分および第２成分の合計含有量１００重量部に対して、第３成分を好ましくは１００重量部以下、より好ましくは１〜５０重量部、さらに好ましくは５〜４０重量部の量で含有してもよい。上記液晶組成物が、第３成分を前記範囲で含有することにより、液晶組成物の選択反射領域の温度範囲を広げることができる。
【００４６】
上記化合物（１）〜（５）は、フーベン・ヴァイル（Houben Wyle, Methoden der Organischen Chemie, Georg Thieme Verlag, Stuttgart）、オーガニック・リアクションズ（Organic Reactions, John Wily & Sons Inc.）、オーガニック・シンセセーズ（Organic Syntheses, John Wily & Sons, Inc.）、コンプリヘンシブ・オーガニック・シンセシス
（Comprehensive Organic Synthesis, Pergamon Press）、新実験化学講座（丸善）など
に記載された、有機化学における合成方法を適切に組み合わせることにより合成できる。
【００４７】
具体的には、化合物（１）、（２）および（４）は、下記スキーム１に従って合成することができる。
【００４８】
【化４】
2008174634.tif 000005
【００４９】
上記合成スキーム１に示すように、コレステロール[a]と等量の脂肪族酸[b]とのエステル化によって化合物（１）、（２）および（４）を合成することができる。また、化合物（３）および（５）は、上記コレステロール[a]の代わりに下記のコレスタノール[c]を用いて同様のエステル化反応を行なうことにより合成することができる。
【００５０】
【化５】
2008174634.tif 000006
【００５１】
本発明の液晶組成物は溶剤を含有してもよい。溶剤としては、たとえば、脂肪酸エステル類、炭化水素類、高級アルコール類、低級アルコール類、多価アルコール、シリコーン油類、環状エーテル、ケトン、アミド、アミノ酸および有機アミンなどが挙げられる。これらは、１種単独で用いても２種以上を混合して用いてもよい。
【００５２】
〔用途〕
本発明のコレステリック液晶組成物の用途としては、色材一般、たとえば、液晶顔料、塗料、噴霧インク、印刷インクなどが挙げられる。また、化粧料、偽造防止用印刷物、装飾品に使用することもできる。これらの中でも、室温や体温付近の温度範囲で赤〜紫、より好ましくは赤〜黄色の選択反射色を呈することから、化粧料として好適に用いることができる。
【００５３】
本発明の化粧料は、上述した本発明のコレステリック液晶組成物を含む。また、上記液晶組成物以外にも、本発明の効果を損なわない範囲において、一般的な化粧品に用いられる成分、たとえば、体質顔料、着色剤、酸化防止剤、酸化防止助剤、紫外線吸収剤、金属イオン封鎖剤、界面活性剤、保存安定剤、防腐剤、希釈剤、可塑剤、保湿剤、粘度調整剤、感触調整剤、増粘剤、皮膜剤、エステル油、液体油脂、固体油脂、ロウ、水溶性高分子、環状エーテル、ケトン、アミド、アミノ酸、有機アミン、多価アルコール、多糖類、高分子エマルジョン、ｐＨ調整剤、ビタミン類、皮膚栄養剤、香料、水、種々の抽出エキスなどを、用途に応じて含有してもよい。
【００５４】
体質顔料としては、たとえば、硫酸バリウム、炭酸バリウム、炭酸カルシウム、炭酸マグネシウム、シリカ、酸化チタン、マイカ、セリサイト、タルクなどが挙げられる。これらの体質顔料は、１種単独で用いても２種以上を組み合わせて用いてもよい。
【００５５】
着色剤としては、たとえば、溶性アゾ、不溶性アゾ、ポリアゾ、フタロシアニン、アンスラキノン、チオインジゴ、ペリレン、ペリノン、ジオキサジン、キナクリドン、イソインドリノン、キノフタロン、ジケトピロロピロール、アンスラキノン、ペリノン、キノフタロン、アゾ、カーボンブラックなどが挙げられる。
【００５６】
酸化防止剤としては、たとえば、２，２−メチレンビス（４−メチル−６−ｔ−ブチルフェノール）、２，６−ジ−ｔ−ブチル−４−メチルフェノール（ＢＨＴ）などが挙げられる。
【００５７】
紫外線吸収剤としては、たとえば、２−（３−ｔ−ブチル−５−メチル−２−ヒドロキシフェニル）−５−クロロベンゾトリアゾール、アルコキシベンゾフェノン類などが挙げられる。
【００５８】
保湿剤としては、たとえば、動物油、植物油、合成油等の起源及び、固形油、半固形油、液体油、揮発性油等の性状を問わず、炭化水素類、油脂類、ロウ類、硬化油類、エステ
ル油類、脂肪酸類、低級アルコール類、グリコール類、グリセロール類、高級アルコール類、シリコーン油類、フッ素系油類、ラノリン誘導体類、植物ステロール誘導体類等が挙げられる。
【００５９】
具体的には、流動パラフィン、スクワラン、ワセリン、ポリイソブチレン、ポリブテン、パラフィンワックス、セレシンワックス、マイクロクリスタリンワックス、モンタンワックス、フィシャトロプスワックス等の炭化水素類；モクロウ、オリーブ油、ヒマシ油、ミンク油、マカデミアンナッツ油等の油脂類；ミツロウ、カルナウバワックス、キャンデリラワックス、ゲイロウ等のロウ類；ホホバ油、イソオクタン酸セチル、ミリスチン酸イソプロピル、パルミチン酸イソプロピル、ミリスチン酸オクチルドデシル、トリオクタン酸グリセリル、ジイソステアリン酸ジグリセリル、トリイソステアリン酸ジグリセリル、トリベヘン酸グリセリル、ロジン酸ペンタエリトリットエステル、ジオクタン酸ネオペンチルグリコール、コレステロール脂肪酸エステル、Ｎ−ラウロイル−Ｌ−グルタミン酸ジ（コレステリル・ベヘニル・オクチルドデシル）等のエステル油類；ステアリン酸、ラウリン酸、ミリスチン酸、ベヘニン酸、イソステアリン酸、オレイン酸、１２−ヒドロキシステアリン酸等の脂肪酸類；ステアリルアルコール、セチルアルコール、ラウリルアルコール、オレイルアルコール、イソステアリルアルコール、ベヘニルアルコール等の高級アルコール類；低重合度ジメチルポリシロキサン、高重合度ジメチルポリシロキサン、メチルフェニルポリシロキサン、デカメチルシクロペンタシロキサン、オクタメチルシクロテトラシロキサン、フッ素変性シリコーン等のシリコーン油類；パーフルオロポリエーテル、パーフルオロデカン、パーフルオロオクタン等のフッ素系油剤類；ラノリン、酢酸ラノリン、ラノリン脂肪酸イソプロピル、ラノリンアルコール等のラノリン誘導体類；シトステロール誘導体；カンペステロール誘導体；スティグマステロール誘導体；エタノール、イソプロピルアルコール等のアルコール類；プロピレングリコール、１，３−ブチレングリコール、ジプロピレングリコール、ポリエチレングリコール等のグリコール類；グリセリン、ジグリセリン、ポリグリセリン等のグリセロール類；ソルビットなどが挙げられる。これらは、１種単独で用いても２種以上を組み合わせて用いてもよい。
【００６０】
粘度調整剤および感触調整剤として、例えば、植物系高分子（例えば、アラビアガム、トラガカントガム、ガラクタン、グアガム、キャロブガム、カラヤガム、カラギーナン、ペクチン、カンテン、クインスシード(マルメロ)、アルゲコロイド(カッソウエキス)、デンプン(コメ、トウモロコシ、バレイショ、コムギ)、グリチルリチン酸、ヒアルロン酸、ヒアルロン酸誘導体；微生物系高分子（例えば、キサンタンガム、デキストラン、サクシノグルカン、ブルラン等）；動物系高分子（例えば、コラーゲン、カゼイン、アルブミン、ゼラチン等）などが挙げられる。
【００６１】
半合成の水溶性高分子としては、例えば、デンプン系高分子（例えば、カルボキシメチルデンプン、メチルヒドロキシプロピルデンプン等）；セルロース系高分子（メチルセルロース、エチルセルロース、メチルヒドロキシプロピルセルロース、ヒドロキシエチルセルロース、セルロース硫酸ナトリウム、ヒドロキシプロピルセルロース、カルボキシメチルセルロース、カルボキシメチルセルロースナトリウム、結晶セルロース、セルロース末等）；アルギン酸系高分子（例えば、アルギン酸ナトリウム、アルギン酸プロピレングリコールエステル等）；ヒアルロン酸ナトリウムなどが挙げられる。
【００６２】
合成の水溶性高分子としては、例えば、ビニル系高分子（例えば、ポリビニルアルコール、ポリビニルメチルエーテル、ポリビニルピロリドン、カルボキシビニルポリマー等）；ポリオキシエチレン系高分子（例えば、ポリエチレングリコールのポリオキシエチレン−ポリオキシプロピレン共重合体等）；アクリル系高分子（例えば、ポリアクリル酸ナトリウム、ポリエチルアクリレート、ポリアクリルアミド等）；ポリエチレンイミン；カチオンポリマーなどが挙げられる。
【００６３】
増粘剤としては、例えば、アラビアガム、カラギーナン、カラヤガム、トラガカントガム、キャロブガム、クインスシード（マルメロ）、カゼイン、デキストリン、ゼラチン、ペクチン酸ナトリウム、アラギン酸ナトリウム、メチルセルロース、エチルセルロース、ＣＭＣ、ヒドロキシエチルセルロース、ヒドロキシプロピルセルロース、ＰＶＡ、ＰＶＭ、ＰＶＰ、ポリアクリル酸ナトリウム、カルボキシビニルポリマー、ローカストビーンガム、グアーガム、タマリントガム、ジアルキルジメチルアンモニウム硫酸セルロース、キサンタンガム、ケイ酸アルミニウムマグネシウム、ベントナイト、ヘクトライト、ケイ酸A1Mg(ビーガム)、ラポナイト、無水ケイ酸、コンドロイチン硫酸ナトリウム、カルボキシビニルポリマー、アルキル変性カルボキシビニルポリマーなどが挙げられる。
【００６４】
本発明の化粧料は、例えば、口紅、リップクリーム、リップグロス、アイシャドウ、アイライナー、マスカラ、頬紅、液状ファンデーションなどに好適に用いることができる。
【実施例】
【００６５】
以下、実施例に基づいて本発明をより具体的に説明するが、本発明はこれら実施例に何ら限定されるものではない。なお、実施例および比較例で用いたコレステロール誘導体およびコレスタノール誘導体は以下のとおりである。
【００６６】
＜コレステロール誘導体およびコレスタノール誘導体＞
化合物（１−１）：コレステロール酢酸エステル
化合物（１−２）：コレステロールプロピオン酸エステル
化合物（１−３）：コレステロール酪酸エステル
化合物（１−４）：コレステロール吉草酸エステル
化合物（２−１）：コレステロールオレイン酸エステル
化合物（２−２）：コレステロールリノール酸エステル
化合物（２−３）：コレステロール２−ヘキシルデカン酸エステル
化合物（２−４）：コレステロールイソステアリン酸エステル
化合物（３−１）：コレスタノールオレイン酸エステル
化合物（３−２）：コレスタノールリノール酸エステル
化合物（３−３）：コレスタノールリノレイン酸エステル
化合物（４−１）：コレステロールヘプタン酸エステル
化合物（４−２）：コレステロールノナン酸エステル
化合物（５−１）：コレスタノール酢酸エステル
化合物（５−２）：コレスタノール酪酸エステル
化合物（５−３）：コレスタノールノナン酸エステル
〔実施例１〕
化合物（１−１）５重量部、化合物（１−３）５重量部、化合物（３−１）５重量部および化合物（３−４）３重量部を混合して液晶組成物を調製した。得られた組成物は、２２℃で赤色の反射色を示し、３５℃で朱色の反射色を示した。結果を表１−１に示す。
【００６７】
〔実施例２〜１１〕
表１−１に示す組成を有する組成物を調製し、実施例１と同様にして反射色を調べた。結果を表１−１に示す。
【００６８】
〔比較例１〜７〕
表１−２に示す組成を有する組成物を調製し、実施例１と同様にして反射色を調べた。結果を表１−２に示す。
【００６９】
【表１−１】
2008174634.tif 000007
【００７０】
【表１−２】
2008174634.tif 000008
【００７１】
表１に示すように、第１成分として化合物（１）を２種と、第２成分として化合物（２）および／または（３）を少なくとも１種とからなる実施例１、５、６、７、９の組成物
は、いずれも室温付近で赤〜オレンジ（黄）のコレステリック液晶の選択反射色を呈することを確認した。
【００７２】
これに対して、第１成分が１種のみである場合（比較例１〜７）、比較例６のように室温付近で結晶化しやすく、また多くの場合、比較例７のように室温付近で緑〜紫の可視光領域内で比較的短波長の選択反射色を呈する傾向にあることが確認された。
【００７３】
したがって、第１成分として化合物（１）２種と、第２成分として少なくとも化合物（２）１種とを調製することで、室温付近で、赤〜オレンジ（黄）の可視光領域内で比較的長波長の選択反射色を呈する本発明のコレステリック液晶組成物を得ることができる。
【００７４】
また、第１成分として化合物（１）を２種と、第２成分として化合物（２）および／または（３）を少なくとも１種と、第３成分として化合物（４）および／または（５）を少なくとも１種とからなる実施例２、３、４、８、１０、１１の組成物は、いずれも室温付近で赤、オレンジ、黄緑、青緑のコレステリック液晶の選択反射色を呈することが確認された。このように第３成分を加えることで、室温付近でのコレステリック液晶の選択反射色の波長領域を制御できる。